(57)【要約】      （修正有）【課題】強風でも倒れにくく、雪が看板の上に積もりにくい、安全で便利な立て看板を提供する。【解決手段】表面に多数の長孔２を有する略長方形の板体からなる看板４と、看板の四方を固定する枠体１を備える。長孔は、上下または左右に互い違いになるように隣接配置され、長手方向の直径が短手方向の直径の４倍以上６倍以下であり、面積は、１５０ｍｍ２以上２００ｍｍ２以下であることが好ましい。【選択図】図１
0003200093.tif 000002
【実用新案登録請求の範囲】
【請求項１】
表面に多数の長孔を有する略長方形の板体からなる看板と、
前記看板の四方を固定する枠体と、
を、備えたことを特徴とする立て看板。
【請求項２】
前記長孔の位置は、上下または左右に隣接する前記長孔の位置と、互い違いになるように配置されていることを特徴とする請求項１に記載の立て看板。
【請求項３】
前記長孔は、長手方向の直径が短手方向の直径の４倍以上６倍以下の間であることを特徴とする請求項１に記載の立て看板。
【請求項４】
前記長孔の面積は、１５０平方ミリメートル以上２００平方ミリメートル以下の間であることを特徴とする請求項１または請求項２に記載の立て看板。
【考案の詳細な説明】
【技術分野】
【０００１】
この考案は、強風でも倒れにくく、雪が看板の上に積もりにくい、安全で便利な立て看板に関する。
【背景技術】
【０００２】
従来より、道路における道路補修工事、上下水道工事、電気工事、電話工事およびガス工事等の現場では、歩行者や車両を停止させたり、通行方法を変えたり、足元に注意を促すため、立て看板が使用される。一般的な立て看板は、鉄製の枠体に薄い板体を取り付け、その板体に、歩行者あるいは車両に注意を促す事項を表示する。看板は道路に立てておく必要があるため、枠体の背部に脚体を設けたり、枠体の下部に固定具を設けあることが一般的である。
【０００３】
上述の各種工事は、数日から数か月の工期をもち、工事期間中ずっと設置しておく必要がある。看板には、立てておくための脚体や、固定具が設けられているが、強風の日には倒れてしまうことがある。看板は、鋼鉄製のものが多く、重量もあり、道路脇等、人通りの多い場所に設置されているため、看板が倒れると、重大な人身事故につながってしまい大変危険である。また、雪が降ると、看板の上に雪が積もってしまい、看板の文字が読めなくなってしまうこともある。看板には、工事中の通行方法等の指示が書いてあることが多いため、看板の文字が読めないと、これもまた、人身事故につながってしまう危険がある。
【０００４】
そこで、風が吹いても看板が取れないような看板の形状や、各種の看板用固定具が利用されている。特許文献１の立て看板の固定台は、エキスパンドメタルを張った固定台に看板を固定する固定台である。固定台には金網状のエキスパンドメタルを使用しており風を通すため、多少の風では倒れないようにできているが、看板部分は、風を通さないため、看板部分に強風が吹きつけられると、固定台では支えきれず倒れてしまう。特許文献２の低重心折り畳みバランス看板は、重心が低くなるよう作られており、バランス軸に看板を吊り下げる方式の看板であって、風の影響を受けにくいが、設置する際に、スペースを多く必要とする。また、風では倒れにくいが、降雪時は、バランス軸やアームに雪がつもりやすく、看板の文字が隠れてしまうことがある。
【特許文献１】実用新案登録第３０２７８０７号公報
【特許文献２】実開平成６−６８０８１号公報
【考案の概要】
【考案が解決しようとする課題】
【０００５】
そこで、本考案は、上記事情に鑑み、強風でも倒れにくく、設置スペースも少なくて済み、雪が降っても看板の上に雪が積もりにくい、安全で便利な立て看板を提供することを目的とする。
【課題を解決するための手段】
【０００６】
本考案の立て看板は、表面に多数の長孔を有する略長方形の板体からなる看板と、前記看板の四方を固定する枠体と、を、備えたことを特徴とする。
【０００７】
この考案によれば、表面に設けられた多数の長孔から、風が抜けるので、強風の日でも、立て看板が倒れにくい。また、雪が降った際も、長孔には雪がつもらないので、看板に雪がつもって看板の文字が隠れてしまうことがない。
【０００８】
また、この考案の立て看板の長孔の位置は、上下または左右に隣接する前記長孔の位置と、互い違いになるように配置されていることを特徴とする。
【０００９】
この考案によれば、多数の長孔が、互い違いの位置に配置されているので、看板に文字を塗装する面積を確保でき、塗装した文字が判読しやすくなる。また、長孔が縦方向には互い違いに設けられていることによって、縦方向の強度が担保されるので、上から重量物が落下する等、加重がかかった際に、立て看板に、亀裂が入ったり破損することを予防できる。
【００１０】
また、この考案の立て看板は、前記長孔は、長手方向の直径が短手方向の直径の４倍以上６倍以下であることを特徴とする。
【００１１】
この考案によれば、長孔の寸法が、横長または縦長であるので、風や雪が抜けやすい孔の大きさを保ちつつ、かつ、看板の文字が長孔によって判読しにくくなることがない。
【００１２】
また、この考案の立て看板の前記長孔の面積は、１５０平方ミリメートル以上２００平方ミリメートル以下であることを特徴とする。
【００１３】
この考案によれば、長孔の寸法は、指が挿入できない寸法となるので、子供が立て看板の長孔に指を突っ込んだりして遊ぶことを予防できる。長孔が円形状であったり、指が入る大きさであると、指を入れて遊びたくなるので、子供のいたずらや怪我を誘発しやすいが、本考案の長孔は、指が入らない形状と大きさを備えている。
【図面の簡単な説明】
【００１４】
【図１】この考案の実施形態１にかかる立て看板１００の斜視図である。
【図２】（ａ）は、図１に示した立て看板１００のＡ部拡大図であって、（ｂ）は、長孔２を説明するための参考図上面図である。
【図３】図１に示した立て看板の右側面図である。
【図４】この考案の実施形態２にかかる立て看板２００の使用状態を示す参考図である。
【図５】（ａ）は、図４に示した立て看板２００のＤ部拡大図であって、（ｂ）は、長孔２を説明するための参考上面図である。
【図６】図４に示した立て看板２００の右側面図である。
【考案を実施するための形態】
【００１５】
以下、本考案を実施するための形態について、詳細に説明する。
【００１６】
（実施の形態１）
図１は、この考案の実施形態１にかかる立て看板１００の斜視図である。図２は、図１に示した立て看板１００のＡ部拡大図である。図３は、図１に示した立て看板１００の右側面図である。
【００１７】
図１に示すように、立て看板１００は、鋼鉄製のパイプまたは棒状物で略長方形を形成して作られた枠体１、枠体１の内側に設けられた看板４、看板４を裏側から支えて固定する脚体３を、主に有する。
【００１８】
枠体１は、鉄製、アルミ製その他硬質材料で作られた棒状物またはパイプ材を用いて長方形を形成した枠体である。１本の棒状物またはパイプを折り曲げて長方形を形成しても良いし、４本の棒状物またはパイプ材を接続して長方形を形成しても良い。また、枠体１に溝を設け、看板２を溝に嵌め込んで固定するようにしても良い。看板２は、鉄板やアルミ板その他の硬質の板体で作られており、表面には、塗装が施され、通行人や車両に対する注意喚起の文字が記載されている。看板２は実施の形態２では縦長の略長方形の板体であり、枠体１に鋲止め等で固定されている。看板２の形状は任意の形状で良く、看板に記載された文字が引き立つよう大きさのものが用いられる。  看板２は、厚み０．５ミリメートル以上０．８ミリメートル以下の平板で作られている。
【００１９】
図２（ａ）に示すように、看板２の表面には、貫通した孔が多数設けられ、長孔２となっている。長孔２の位置は、上下の前記長孔２と互い違いの位置になるように配置され、かつ、左右に隣接する前記長孔２とは同じ高さに位置するよう配置されている。長孔２の配置は、縦方向に見ると、長孔２の両端が、上下の長孔２の中央部分に来るように配置され、横方向に見ると、長孔２の底辺が隣接する長孔２と同じ高さに配置されている。図２（ｂ）に示すように、長孔２は、実施の形態１の立て看板１００では、横長の長孔２が設けられている。長孔２の寸法は、横方向の直径Ｂが３０ミリメートル、縦方向の直径Ｃが６ミリメートル程度である。長孔２の孔の寸法は、大きすぎると看板の文字が読みにくくなり、また、孔に子供が指を突っ込んで遊んで怪我をすることもあるので、大きすぎないものが良い。長孔２の寸法が小さすぎると、風が抜けにくく、看板が風で倒れやすくなる。したがって、長孔２は、短手方向の直径Ｃが１センチメートル以下が良く５ミリメートル以上６ミリメートル以下が望ましい。長手方向の直径は、短手方向の直径の２−５倍程度にすると良い。風が抜けやすく、かつ、文字の判読を妨げず、子供の指も入らない寸法の長孔２が望ましい。
【００２０】
図３に示すように、枠体１には、脚体３が設けられており、枠体１と脚体３とで看板２を床面に対し７０度から略垂直な角度に立てたまま固定できるようになっている。脚体３は、本実施の形態１の立て看板１００では、枠体１と同じ硬質材料で作られた棒状物またはパイプ体であり、看板２を裏面から支えて床に立てるようにする構成となっている。脚体３の形状は、棒状物またはパイプ体に限定されず、床面に接するように設けられた平板でも良いし、キャスター付の台車形状のものでも良い。
【００２１】
脚体３は、枠体１の裏側に設けられている。枠体１と同じように棒状物やパイプ材で形成しても良いし、平たい板体で構成しても良い。また、板体を床面に接するように置いて台座とし、その上に枠体を固定具で固定したり、板体に設けた溝に枠体を嵌め込んで固定するような台座形状の脚体３としても良い。
【００２２】
立て看板１００を、工事中等、通行人や車両に対する注意喚起の看板として屋外設置用として用いると、看板２に設けられた多数の長孔２が、空気の抜け穴となって、強風の日でも看板にかかる空気抵抗を和らげるため、台風や強風の日でも、立て看板１００が倒れることがなく、通行人や車両に立て看板１００が倒れかかることもなく安全に使用できる。考案者らが行った現場実験では、幅５５センチメートル高さ１４０センチメートルの立て看板１００を床面に設置し、１９％の風圧低減・風速２０ｍ／ｓの状況下に置いて転倒しないことを確認した。また、長孔２から、看板の向こう側がうっすらと目視できるので、通行人や車両の安全確保にも役立つ。
【００２３】
また、立て看板１００は、豪雪地帯の使用にも大変有効である。豪雪地帯では、看板に雪がつもって、看板の文字が判読できなくなることが多々あるが、本考案の立て看板１００によれば、看板１００の上に雪が降っても、雪は長孔２を貫通するので、看板１００の上に雪がつもりにくい。したがって、大雪の中でも看板１００が雪に埋もれてしまうことがなく、看板１００に書かれた文字が読めなくなることがない。
【００２４】
（実施の形態２）
次に、図４から図６を示しながら、本考案の実施の形態２の立て看板２００を説明する。図４は、この考案の実施形態２にかかる立て看板２００の使用状態を示す参考図であって、図５は、図４に示した立て看板２００のＤ部拡大図である。図６は、図４に示した立て看板２００の右側面図である。
【００２５】
図４に示すように、立て看板２００は、鋼鉄製のパイプまたは棒状物で四方を囲むように四角形を形成した枠体１、枠体１の四角形の内側に設けられた、歩行者や車両に対する注意書きを記載する看板４、看板４を電柱や街灯、木や柱に括り付けて看板４を固定するための固定紐５を主に有する。
【００２６】
枠体１は、鉄製、アルミ製その他硬質材料で作られた枠体である。看板２は、鉄板やアルミ板その他の硬質の板体で作られており、通行人や車両に対する注意喚起の文字が記載されている。看板２は実施の形態２では縦長の略長方形の板体であって枠体１に鋲止め等で固定されている。看板２の形状は限定されず、看板に記載された文字が引き立つような任意の形状の板体を用いて作成される。  看板２は、厚みが０．５ミリメートル以上０．８ミリメートル以下の平板である。
【００２７】
図５（ａ）に示すように、看板２には、多数の貫通した孔である長孔２が設けられている。長孔２の位置は、左右の前記長孔２と互い違いの位置になるように配置され、かつ、上下にある前記長孔２とは同じ高さに位置するよう配置されている。長孔２の配置は、横方向に見ると、長孔２の下端が、左右の長孔２と同じ高さになるよう配置され、縦方向に見ると、上下の長孔２と両端の位置が揃うように配置されている。図５（ｂ）に示すように、長孔２の形状は、実施の形態２の立て看板では、縦長の長孔となっている。長孔の寸法は、長手方向である縦方向の直径Ｆが３０ミリメートル、短手方向である横方向の直径Ｇが６ミリメートル程度となっている。長孔２の孔の寸法は、大きすぎると看板の文字が読みにくくなり、また、孔に子供が指を突っ込んで遊んで怪我をすることもあるので、大きすぎない寸法が望ましい。また、長孔２の寸法が小さすぎると、風が抜けにくく、看板が風で倒れやすくなる。したがって、長孔２は、短手方向の直径Ｇが１センチメートル以下が良く５ミリメートル以上６ミリメートル以下が望ましい。長手方向の直径Ｆは、短手方向の直径Ｇの２倍以上５倍以下にすると良い。風が抜けやすく、かつ、文字の判読を妨げず、子供の指も入らない寸法の長孔２が望ましい。
【００２８】
図６に示すように、枠体１の左右両端から紐５が設けられており、固定紐５を電柱や木等に括り付けて看板２を固定できるようになっている。紐５は、本実施の形態では、枠体１に取り付けられた紐状物であって、互いに結び合わせて固定する構成となっている。固定紐５は、ベルトやゴムとしても良い。
【００２９】
立て看板２００を、工事中等、通行人や車両に対する注意喚起の看板として屋外設置用として用いると、看板２に設けられた多数の長孔２が、空気の抜け穴となって、強風の日でも看板にかかる空気抵抗を和らげるため、台風や強風の日でも、立て看板２００が倒れることがなく、通行人や車両に立て看板２００が倒れかかることがなく、安全に使用できる。また、長孔２から、看板の向こう側がうっすらと目視できるので、通行人や車両の安全確保にも役立つ。
【００３０】
また、立て看板２００は、豪雪地帯の使用にも大変有効である。豪雪地帯では、看板に雪がつもって、看板の文字が判読できなくなることが多々あるが、本考案の立て看板２００によれば、看板２００の上に雪が降っても、雪は長孔２を貫通して下に落ちるので、看板２００の上に雪がつもりにくい。したがって、大雪の中でも看板２００が雪に埋もれてしまうことがなく、看板２００に書かれた文字が読めなくなることがない。
【符号の説明】
【００３１】
１００,２００    立て看板
１      枠体
２      長孔
３      脚体
４      看板
５      固定用紐
Ｈ      電柱
【図１】
0003200093.tif 000003
【図２】
0003200093.tif 000004
【図３】
0003200093.tif 000005
【図４】
0003200093.tif 000006
【図５】
0003200093.tif 000007
【図６】
0003200093.tif 000008